(57)【要約】  本発明は、ガスマスク（１０）を提供し、これは、透明なアイカバーを備え、かつ空気が、着用者の鼻および口の周りを循環し得るための空間（１８を含み、かつ汚染空気が該ガスマスクに入るのを防止するための気密シールを有する、フェイスピース；能動ステージおよび受動ステージを含む濾過装置（２２）であって、該受動ステージは、所定のサイズより上の粒子を濾去するためであり、かつ毒性または有害な物質および流体を汚染空気から除去するための吸着媒体を備え、該能動ステージは、周囲の細菌およびウイルスを殺傷するための少なくとも１つの薬剤を含む、濾過装置；汚染空気が該濾過システムに入るのを可能にする吸気口（２２）；該濾過装置を該着用者の鼻および口の周りの空間に連結する少なくとも１つの通路（２０）；ならびに排出された空気が放出され得る、排出ポート、を備える。
2005512641.tif 000002
【特許請求の範囲】
【請求項１】
ガスマスクであって、以下：
フェイスピースであって、該フェイスピースは、透明なアイカバーを備え、かつ空気が、着用者の鼻および口の周りを循環し得るための空間を含み、かつ汚染空気が該ガスマスクに入るのを防止するための気密シールを有する、フェイスピース；
能動ステージおよび受動ステージを含む濾過装置であって、該受動ステージは、所定のサイズより上の粒子を濾去するためであり、かつ毒性または有害な物質および流体を汚染空気から除去するための吸着媒体を備え、該能動ステージは、周囲の細菌およびウイルスを殺傷するための少なくとも１つの薬剤を含む、濾過装置；
汚染空気が該濾過システムに入るのを可能にする吸気口；
該濾過装置を該着用者の鼻および口の周りの空間に連結する少なくとも１つの通路；ならびに
排出された空気が放出され得る、排出ポート、
を備える、ガスマスク。 
【請求項２】
前記能動ステージが、細菌およびウイルスを破壊するために有効なＵＶ光源をさらに備える、請求項１に記載のガスマスク。
【請求項３】
前記能動ステージ中の薬剤が、クロロヘキシジン、エタノール、リソスタフィン、安息香酸アナログ、リジン酵素および金属塩、バシトラシン、メチシリン、セファロスポリン、ポリミキシン、セファクロール、セファドロキシル、セファマンドールナフェート、セファゾリン、セフィキシム、セフィネタゾール、セフォニオイド、セフォペラゾン、セフォラニド、セフォタンメ、セフォタキシム、セフォテタン、セフォキシチン、セフポドキシムプロキセチル、セフタキシジム、セフチゾキシム、セフトリアキソン、セフリアゾンモキサラクタム、セフロキシム、セファレキシン、セファロスポリンＣ、セファロスポリンＣナトリウム塩、セファロチン、セファロチンナトリウム塩、セファピリン、セフラジン、セフロキシムアキセチル、セファロチン二水和物、モキサラクタム、ロラカルベフマフェートである、請求項１に記載のガスマスク。
【請求項４】
前記能動ステージ中の薬剤が、リジン酵素であり、該リジン酵素の効果を増大するために有効な量のキレート化剤をさらに含む、請求項３に記載のガスマスク。
【請求項５】
前記能動ステージが、細菌およびウイルスを殺傷するために有効な１つ以上の金属因子をさらに含む、請求項２に記載のガスマスク。
【請求項６】
前記金属が、メッシュの形態の、銀、亜鉛、チタン、銅または酸化鉄である、請求項５に記載のガスマスク。
【請求項７】
前記能動ステージが、ＩＲ光源電場発生器またはＩＲ光源磁場発生器をさらに備える、請求項１に記載のガスマスク。
【請求項８】
前記能動ステージが、風媒性粒子を汚染空気から分離するための電場発生器または磁場発生器をさらに備える、請求項２に記載のガスマスク。
【請求項９】
前記電場発生器または磁場発生器が、マイクロフィラメント、マイクロ電気プレートまたは磁気コイルを含む、請求項２に記載のガスマスク。
【請求項１０】
前記活性成分が、該活性成分を含有する、粒子、錠剤、テープ、メッシュ、固体、または該活性成分を含有するファブリックの形態であり得る、請求項２に記載のガスマスク。
【請求項１１】
ガスマスク用のカートリッジであって、以下：
容器であって、該容器を該ガスマスクに気密シールを用いて連結するためのコネクタを有する、容器；
能動ステージおよび受動ステージを備える濾過装置であって、該受動ステージは、所定のサイズより上の粒子を濾去するためであり、かつ毒性または有害な物質および流体を該濾過装置に入る空気から除去するための吸着媒体を備え、該能動ステージは、周囲の細菌およびウイルスを殺傷するための少なくとも１つの薬剤を含む、濾過装置；
汚染空気が該濾過装置に入るのを可能にする吸気口；ならびに
排出された空気が放出され得る、排出ポート、
を備える、カートリッジ。
【請求項１２】
前記能動ステージが、細菌およびウイルスを破壊するために有効なＵＶ光源をさらに備える、請求項１１に記載のガスマスク用のカートリッジ。
【請求項１３】
前記能動ステージ中の薬剤が、クロロヘキシジン、エタノール、リソスタフィン、安息香酸アナログ、リジン酵素、バシトラシン、メチシリン、セファロスポリン、ポリミキシン、セファクロール、セファドロキシル、セファマンドールナフェート、セファゾリン、セフィキシム、セフィネタゾール、セフォニオイド、セフォペラゾン、セフォラニド、セフォタンメ、セフォタキシム、セフォテタン、セフォキシチン、セフポドキシムプロキセチル、セフタキシジム、セフチゾキシム、セフトリアキソン、セフリアゾンモキサラクタム、セフロキシム、セファレキシン、セファロスポリンＣ、セファロスポリンＣナトリウム塩、セファロチン、セファロチンナトリウム塩、セファピリン、セフラジン、セフロキシムアキセチル、セファロチン二水和物、モキサラクタム、ロラカルベフマフェートである、請求項１１に記載のガスマスク用のカートリッジ。
【請求項１４】
前記能動ステージ中の薬剤が、リジン酵素であり、該リジン酵素の効果を増大するために有効な量のキレート化剤をさらに含む、請求項１３に記載のガスマスク用のカートリッジ。
【請求項１５】
前記能動ステージが、細菌およびウイルスを殺傷するために有効な１つ以上の金属因子をさらに含む、請求項１２に記載のガスマスク用のカートリッジ。
【請求項１６】
前記金属因子が、メッシュの形態の、銀、亜鉛、チタン、銅または酸化鉄である、請求項１５に記載のガスマスク用のカートリッジ。
【請求項１７】
前記能動ステージが、ＩＲ光源電場発生器またはＩＲ光源磁場発生器をさらに備える、請求項１１に記載のガスマスク用のカートリッジ。
【請求項１８】
前記能動ステージが、風媒性粒子を汚染空気から分離するための電場発生器または磁場発生器をさらに備える、請求項１２に記載のガスマスク用のカートリッジ。
【請求項１９】
前記電場発生器または磁場発生器が、マイクロフィラメント、マイクロ電気プレートまたは磁気コイルを含む、請求項１２に記載のガスマスク用のカートリッジ。
【請求項２０】
前記活性成分が、該活性成分を含有する、粒子、錠剤、テープ、メッシュ、固体、または該活性成分を含有するファブリックの形態であり得る、請求項１２に記載のガスマスク用のカートリッジ。
【発明の詳細な説明】
【技術分野】
【０００１】
（発明の分野）
本発明は、グラム陽性細菌およびグラム陰性細菌、ウイルス、胞子、藻類、真菌または原生動物、ならびに有害ガスまたは毒性ガスを除去または殺傷し、そしてこれらが鼻腔に入ることを防止する、能動ステージおよび受動ステージの濾過システムを使用して空気を濾過する、ヒト用のマスクに関する。
【背景技術】
【０００２】
（発明の背景）
空気伝搬性の細菌およびウイルスは、鼻吸入を介して感染および疾患を引き起こし、そして大気中に不慮または故意に伝播されると、危険をもたらす。同様に、種々のガス（例えば、シアン化物およびサリン）は、例えば、一般住民または軍事領域中に放出されると、極度または致死の健康への脅威もしくは危険をもたらす。
【０００３】
種々のアプローチが、呼吸装置またはマスク（これは、そうでなければ、このような物質または物体と接触したヒトによって呼吸され得る１つ以上の汚染物質を、濾過して除くかまたは吸収する）の使用によって、大気中の生物学的汚染物質または化学的汚染物質の脅威と闘うために試みられてきた。
【０００４】
例えば、米国特許第６，２７７，１７８号（Ｈｏｌｍｑｕｉｓｔ−Ｂｒｏｗｎ）は、呼吸器およびフィルタカートリッジに関する。この呼吸器は、ハウジングおよび結合された吸収剤フィルタ要素を有するフィルタカートリッジを備える。濾過媒体は、活性炭であり得、これは、空気中のガスまたは蒸気に対して保護する。フィルタカートリッジの内側の吸収剤フィルタ要素は、スリーブ内に適合し、そして結合された吸収剤フィルタ要素とハウジングスリーブとの間の界面を有して、フィルタ要素の周りの濾過されない空気の通過を防止する。
【０００５】
米国特許第Ｈ１３６０（Ｇｒｏｖｅ）は、軽量の保護的ガスマスクおよびフードを示す。このマスクは、弾性不透過性材料から形成されたフェースピース、ヘッドピースおよび胸当てを有する。フードの内側表面に取り付けられたスポンジゴムシールが、フェースピースの外周上に配置される。アイピースが、フードの内側から外側を見ることを可能にするために、フェースピース上に取り付けられる。特許権者によれば、このマスクは、胸当てに取り付けられた可撓性チャコールフィルタを有するフィルタセルを有する。空気ダクトは、セルによって供給された空気レザバからフェースピースへと延びて、濾過された空気がフェースピースへと引き込まれるのを可能にする。フェースピース上のフラッパ弁は、空気がマスクから逃げるのを可能にする。
【０００６】
米国特許第５，９４４，８７３号（Ｊａｐｅｒ）は、吸収剤を使用して、ガスまたは蒸気の混合物から、１つ以上の所望でない物質または危険な物質を除去するためのデバイスに関する。このマスクは、吸収剤が十分に消費されて置換を保証する場合、ユーザに信号を送る臭気剤を備える。
【０００７】
なお他の特許は、ガスマスクまたは保護的呼吸器において使用するための他の型の濾過媒体を議論している。米国特許第５，４９２，８８２号（Ｄｏｕｇｈｔｙ）は、汚染された空気流から、有害な気体または蒸気を除去するための活性炭吸収剤を議論する。この活性炭には、硫酸またはその塩のうち１つ、モリブデン化合物、銅化合物および亜鉛化合物のような化合物が含浸されている。この吸収剤は、汎用フィルタにおいて使用される。同様に、米国特許第６，３２１，９１５（Ｗｉｌｓｏｎ）は、フィルタ媒体構造体を提供し、ここで、特許権者は、低コストで耐久性のある、温度耐性の媒体を提供しつつ、ミクロ濾過範囲およびナノ濾過範囲での作動を特許請求している。このフィルタ媒体は、炭素繊維またはセラミック繊維および一般に約０．０３〜約５ミクロンの直径を有する無機線維の髭結晶のブレンドである。
【０００８】
米国特許第６，１４６，４４９号（Ｌｅｅ）は、ＨＥＰＡフィルタ媒体間に特定の間隔で挿入されたプラスチック分離プレートを有するＨＥＰＡフィルタを使用する、ガスマスクキャニスタを議論している。活性炭が含浸されたＨＥＰＡフィルタおよびプレフィルタは、全て、呼吸器マスクのキャニスタ部分へと挿入するシリンダの内側に適合する。米国特許第５，２９１，８８１号（Ｄｒｅｗｓ）は、僅かに異なる型のガスマスクカートリッジを議論し、これは、二酸化炭素を結合する化学的パッキングおよびインサートを有する。一方、米国特許第５，２７５，１５４号（ｖｏｎ  Ｂｌｕｃｈｅｒ）は、層を成した高度に空気透過性の表面構造から形成されるガスマスク用の活性炭フィルタ層を提供し、この層を成した高度に空気透過性の表面構造には、０．１〜１ｍｍの直径を有する顆粒活性炭粒子または球状活性炭粒子の層が貼り付けられている。
【０００９】
他の型のガスマスクとしては、米国特許第５，１８１，５０６号（Ｔａｒｄｉｆｆ）が挙げられ、これは、３つの別個の透明材料層（皮膚に対して押圧された場合に、快適なシールを形成するような、第一の軟質層；可撓性であるが形状を保持する、中間層；および液体薬剤に対して保護的である、外側層）からなるフェースピースを備える。この外側層は、マスク全体を取り外さずに、迅速に取替えまたは清浄化され得る。米国特許第５，３２３，７７４号（Ｆｅｈｌａｕｅｒ）は、空気が通過して流れるマスク内装を有する呼吸マスク、および毒性物質の存在を警告する指示器を提示する。米国特許第４，９６１，４２０号（Ｃａｐｐａ）は、フェースピース、このフェースピースの下部に密に係合されたノズルを有するガスマスクを示す。このノズルは、空気の流入を可能にし、一方で、マスクの一部に備えられた排気開口部は、空気の流出を可能にする。米国特許第４，５６０，８８３号（Ｋｅｒｓｃｈｇｅｎｓ）は、紫外線照射のための方法およびデバイスを開示する。
【００１０】
上記の特許の各々は、その全体が本明細書中で援用され、空気中に放出されたかまたは空気中に存在する化学汚染物質、細菌汚染物質およびウイルス汚染物質に対してユーザを保護し得る、軽量の携帯型マスクを提供しないようである。
【発明の開示】
【課題を解決するための手段】
【００１１】
（発明の要旨）
本発明は、天然に存在するか、改変されているか、または遺伝子的に改変されているかにかかわらず、毒性または有毒ガス、細菌およびウイルスを含む生物学的汚染物を含む、雰囲気中の有機および無機の両方の種々の毒性物質に対して使用者を保護し得る、軽量の使い捨て可能な呼吸マスクを提供する。このマスクは、実質的に、頭、顔、および首を覆うフードを含み、そして使用者がかれの周囲を観察することを可能にする透明の顔ピースを有する。このマスクは、毒性化学物質、ならびに細菌およびウイルスを含む危険な生物学的汚染物を除去するためのフィルターを含む呼吸装置を備えている。好ましくは、このフィルターは、受動フィルター、および活性成分を有するチャンバーまたは第２のフィルターであり得る、活性殺菌剤層または活性殺菌剤フィルターを含む。この受動フィルターは、塵、細菌、および胞子のような粒子を除去し、そして活性層は、受動フィルターによってブロックするには小さ過ぎる細菌、胞子およびウイルスを殺傷する。
【００１２】
上記能動フィルターは、このような抗細菌、抗生物質、クロロヘキシジンのような静菌剤または抗ウイルス剤、および任意のその他の殺菌化合物を含む殺菌塩素またはハロゲン、エタノール、メタノール、メントール、リソスタフィン、安息香酸アナログ、リジン酵素および金属塩、バシトラシン、メチシリン、セファロスポリン、ポリミキシン、セファクロール、セファドキシル、セファマンドールナフェート、セファゾリン、セフィキシム、セフィネタゾール、セフォニオイド、セフォペラゾン、セフォラニド、セフォタンメ（ｃｅｆｏｔａｎｍｅ）、セフォタキシム、セフォテタン、セフォキシチン、セフポドキシムプロゼチル、セフタキシジム、セフチゾキシム、セフトリアキソン、セフトリアキソンモキサラクタム、セフロキシム、セファレキシン、セファロスポリンＣ、セファロスポリンＣナトリウム塩、セファロチン、セファロチンナトリウム塩、セファピリン、セファラミド、セフロキシメアキセチル、ジビトラテセファロチン、メントール、メタノール、モキサラクタム、ロラカルベフマフェートおよびキレート薬剤を、リジン酵素の治療効果を相乗的に増大するに有効な量で含み得る。大豆油、酸化物または分子形態であるＡｇ、Ｚｎ、Ｔｉ、Ｃｕ、Ｆｅもまた含まれる。
【００１３】
別の実施形態では、本発明は、ガスまたは呼吸器マスクのためのカートリッジまたはファルター挿入物を提供し、これは、有機または無機の両方の、粒子毒性物質および危険ガスを除去するためのフィルター媒体であって、このフィルターを通じて空気を引くフィルター媒体を有する受動ステージ、および細菌、胞子、ウイルス、およびその他の危険生物学的因子を破壊するか、またそれらを無害にするための活性ステージを含む。このカートリッジは、標準的な呼吸器またはガスマスクのカートリッジチャンバーに適合するように取り付けられるサイズであるか、またはガスマスク中のフードまたはその他のチャンバー中の挿入物として適合するためによりコンパクトであり得る。
【００１４】
本発明のさらなる目的、特徴、および利点は、図面とともに、好ましい実施形態の以下の詳細な説明を考慮する際に明らかになる。
【発明を実施するための最良の形態】
【００１５】
図１は、参照番号１０によってほぼ示される、本発明の呼吸器またはガスマスクを着用する人を示す。このマスク１０は、ヘッドカバー１２および肩カバー１４を備える。このヘッドカバー１２は、透明保護視野窓１６を備え、使用者がマスク１０を着用している間見えることを可能にする。このマスク１０はまた、使用者の鼻および口をカバーする鼻ピース１８を備え、そして使用者が自由に呼吸することを可能にする。このマクス１０は、従来の形態（示さず）で、上記マウスピースに直接取り付けられるか、または、図３に示されるように、肩カバー１４中に一体化されるかいずれかの呼吸フィルター装置を備える。
【００１６】
上記ヘッドカバー１２は、図１および２を参照してより良好に理解され得る。それは、使用者が、皮膚または頭皮を通じて危険物質を吸収することから保護するために、不浸透性の織物またはその他の材料から作製されるフード付のカバーであり得、そして必要に応じて、Ｋｅｖｌａｒ材料、またはＫｅｖｌａｒ繊維の層のような、補強材料を含み、上記カバーを補強し、そして使用者を落下する細片から保護することを補助し得る。あるいは、このヘッドカバー１２は、ＬＥＸＡＮ（登録商標）およびヘルメット製造業者に周知な、スポーツ参加者により着用されるような材料を含む、その他の周知のプラスチック材料のようなヘルメットを含めるように作製され得る。このヘッドカバー１２はまた、ラテックスまたは類似の天然もしくは人工ポリマー性材料（フルオロカーボンポリマーを含む）で処理され得、使用者を有害な液体因子から保護する。剛直性のヘルメット様材料とは対照的に、相対的に可撓性である繊維材料の使用は、フードを、マスク１０のよりコンパクトな貯蔵および携帯を可能にして折り畳むようにし、そして使用時の心地よさを増加する。マスク１０のフードまたはヘッドカバー１２は、むしろぴったりと適合し、その結果、視野窓１６およびマウスピース１８は、使用者の顔に対してあり、漏れに対して最大の保護を提供する。この視野窓１６は、ＬＥＸＡＮ（登録商標）のような衝撃耐性材料から作製される。この視野窓１６は、ヘッドカバーに永久的に接続され得るか、または窓材料が毒性物質の浸透を避けるために漏れを防ぐシールを維持すると仮定して、取り外し可能であり得る。
【００１７】
マウスカバー１８は、好ましくは、使用者の口が見えるように、同様に透明である。これは、使用者が、連絡することを可能にし、そして使用者の口の近傍にあるフード中に隠されたマイクロフォン１９により補助され得、そしてスピーカー２１が、フードの外側に音を伝達する。このマイクロフォン１９およびスピーカー２１は、軽量かつ小型であるべきであり、そして小型化バッテリーまたはその他の電源（図示せず）から電力を得なければならない。好ましくは、マウスカバー１８は、気泡形状であり、その結果、使用者は、マスクを着用している間、そしてマスクを着用して会話する間、心地良いままである。
【００１８】
図３は、本発明の装置の濾過部分中の呼吸通路の１つの形態を示す。この形態は、フードの織物の部分中に形成された通路２０を使用し、より簡単で、より人目につかず、かつより軽重量の空気吸気口を提供する。この通路２０は、顔マスク１８のいずれかの側面上に提供され、末端が吸気フィルター２２で終わる。
【００１９】
この摂取フィルター２２は、それが、より広い範囲の化学的汚染物および生物学的汚染物を取扱い得るという、本発明に重要な利点および特徴を提供する。これを達成するために、このフィルター２２は、２つのステージを備える。第１のステージは、汚染物を吸収するために、活性炭、または材料の単位容積あたり極度に大きな表面積をもつその他の同様の濾過材料を用いて、大部分の化学的汚染物または生物学的汚染物が空気通路２０を通過し得る前にこれらの濾過を達成する。固体、液体、ガス形態、または空中に混合または懸濁された蒸気または粒子としてのいずれかである汚染物を物理的に吸収するこの濾過ステージは、当業者に公知の多くの吸収性材料を用い得、これは、活性炭、アルミナ、シリカゲル、ベントナイト、珪藻土，イオン交換樹脂、粉末ゼオライト（天然および合成の両方）、分子篩、および触媒粒子を含むがこれらに制限されるわけではない。受動濾過部分または物理的濾過部分はまた、サイズが０．５〜０．３ミクロンまでの粒子を濾過して除き得るＨＥＰＡフィルターを含み得る。
【００２０】
能動ステージである、フィルターの第２のステージは、吸入される場合、広く拡散する感染を引き起こし得る、細菌、ウイルスなどを含む生物学的材料を破壊し得るか、不活性化し得るか、または無害にする１つ以上の材料を含む。２ステージフィルターを用い、能動ステージは、受動フィルターステージによりブロックされるには小さ過ぎる、例えば、Ｂａｃｉｌｌｕｓ  Ａｎｔｈｒａｃｉｓ、Ａｇｒｏｂａｃｔｅｒｉｕｍ  ｔｕｍｅｆａｃｉｅｎｓ、Ｂａｃｉｌｌｕｓ  ｍａｇａｔｅｒｉｕｍ（栄養細胞）、Ｂａｃｉｌｌｕｓ  ｓｕｂｔｉｌｉｓ（栄養細胞）、Ｂａｃｉｌｌｕｓ  ｐａｒａｔｙｐｈｕｓｕｓ、Ｂａｃｉｌｌｕｓ  ｔｅｔａｎｉ、Ｃｈｌｏｓｔｒｉｄｉｕｍ  ｔｅｔａｎｉ、Ｃｏｒｙｎｅｂａｃｔｅｒｉｕｍ  ｄｉｐｔｈｅｒｉａｅ、Ｅｂｅｒｔｈｅｌｌａ  ｔｙｐｏｓａ、Ｅｓｃｈｅｒｉｃｈｉａ  ｃｏｌｉ、Ｌｅｇｉｏｎｅｌｌａ  ｂｏｚｉｍａｎｉｉ、ｄｕｍｏｆｆｉｉ、ｇｏｒｍａｎｉｉ、Ｌｅｇｉｏｎｅｌｌａ、ｌｏｎｇｂｅａｃｈａｅ、ｐｎｅｕｍｏｐｈｉｌａ、Ｌｅｇｉｏｎｅｌｌａ  ｎｉｃａｄｅｌ、Ｌｅｇｉｏｎｅｌｌａｉｎｔｅｒｒｏｇａｎｓ（感染性黄疸）、Ｍｙｃｏｂａｃｔｅｒｉｕｍ  ｔｕｂｅｒｃｕｌｏｓｉｓ、Ｎｅｉｓｓｅｒｉａ  ｃａｔａｒｒｈａｉｌｓ、Ｐｈｔｏｍｏｎａｓ  ｔｕｍｅｆｉｃｉｅｎｓ、Ｐｒｏｔｅｕｓ  ｖｕｌｇａｒｉｓ、Ｐｓｅｕｄｏｍｏｎａｓ  ａｅｒｕｇｉｎｏｓａ（実験室＆環境）、Ｐｓｕｄｏｍｏｎａｓ  ｆｌｕｏｒｅｓｃｎｅｓ、Ｒｈｏｄｏｓｐｉｒｉｌｕｍ  Ｒｕｂｒｕｍ、Ｓａｌｍｏｎｅｌｌａ  Ｅｎｔｅｒｉｔｉｄｉｓ、Ｓａｌｍｏｎｅｌｌａ  ｐａｒａｔｙｐｈｉ（腸熱）、Ｓａｌｍｏｎｅｌｌａ  ｔｙｈｉｍｕｒｉｕｍ、Ｓａｌｍｏｎｅｌｌａ  ｔｙｐｏｓａ（腸チフス）、Ｓａｒｃｉｎａ  ｌｕｔｅａ、Ｓｅｒｒａｔｉａ  ｍａｒｃｅｓｃｎｅｓ、Ｓｈｉｇｅｌｌａ  ｄｙｓｅｎｔｅｒｉａｅ、ｆｌｅｘｎｅｒｉ（赤痢）、Ｓｈｉｇｅｌｌａ  ｐａｒａｄｙｓｅｎｔｅｒｉａｅ、Ｓｈｉｒｉｌｌｕｍ  ｒｂｕｒｕｍ、Ｓｔａｐｈｙｌｏｃｏｃｃｕｓ  ａｕｒｅｕｓ、ｅｐｉｄｅｒｍｉｄｉｓ、ｆａｅｃｉｌｉｓ、Ｓｔａｈｐｙｌｏｃｃｏｃｃｕｓ  ｈｅｍｏｌｙｔｉｃｕｓ、ｌａｃｔｉｓ、ｖｉｒｉｄａｎｓ、Ｓｔｒｅｐｔｏｃｏｃｃｕｓ  ｆａｅｃａｌｉｓ、ｈｅｍｏｌｙｔｉｃｕｓ、ｌａｃｔｉｓ、Ｖｉｂｒｉｏ  Ｃｈｏｌｅｒａｅ、胞子：Ａｈｔｈｒａｘ胞子、Ａｓｐｅｒｇｉｌｌｌｕｓ  ｆｌａｖｕｓ、Ａｓｐｅｒｇｉｌｌｕｓ  ｆｌａｕｃｕｓ、Ａｓｐｅｒｇｉｌｌｕｓ  ｇｌａｕｃｕｓ、Ａｓｐｅｒｇｉｌｌｕｓ  ｎｉｇｅｒ、Ｂａｃｉｌｌｕｓ  ｍｅｇａｔｅｒｉｕｍ、Ｂａｃｉｌｌｕｓ  ｓｕｂｔｉｌｉｓ、Ｍｕｃｏｒ  ｒａｍｏｓｉｓｓｉｍｕｓ、Ｏｏｓｐｏｒａ、Ｐｅｎｉｃｉｌｌｕｍ  ｄｉｇｉｔａｔｕｍ、Ｐｅｎｉｃｉｌｌｕｍ  ｅｘｐｅｎｓｕｍ、Ｐｅｎｉｃｉｌｌｕｍ  ｒｏｑｕｅｆｏｒｔｉ、Ｒｈｉｚｏｐｕｓ  ｎｉｇｔｉｃａｎｓ、およびＳａｃｃｈａｒｏｍｙｃｅである、細菌、胞子およびウイルスを殺傷する。こられ活性成分はまた、藻類（Ｃｈｏｒｅｌｌａ  ｖｕｌｇａｒｉｓを含む）、線虫の卵、ゾウリムシのような原生動物、および小ポックスを含むウイルス、細菌（Ｅ．ｃｏｌｉ）ファージ、肝炎ウイルス（すべて��型）、インフルエンザ、ポリオウイルス、ラトウイルス、タバコモザイクウイルス、エボラウイルス、およびその他の感染性ウイルスを含むウイルスを殺傷し得る。同様に、この活性成分または成分は、パン酵母、醸造酵母、一般の酵母ケーキ、Ｓａｃｃｈｒｏｍｙｃｅｓ  ｅｌｌｉｐｓｏｉｄｅｕｓ、およびＧｉａｒｉａ  ｌｌａｍｂｌｉａおよびＣｈｒｙｐｏｓｐｏｒｉｄｉｕｍのようなシスト（ｃｙｓｔ）を含む酵母を殺傷または不活性化し得る。
【００２１】
活性成分は、前記の細菌因子の任意を破壊または無害にすることが知られる１つ以上の以下の物質であり得、これには、クロロヘキシジン、エタノール、リソスタフィン、安息香酸アナログ、リジン酵素および金属塩、バシトラシン、メチシリン、セファロスポリン、ポリミキシン、セファクロール、セファドキシル、セファマンドールナフェート、セファゾリン、セフィキシム、セフィネタゾール、セフォニオイド、セフォペラゾン、セフォラニド、セフォタンメ、セフォタキシム、セフォテタン、セフォキシチン、セフポドキシムプロゼチル、セフタキシジム、セフチゾキシム、セフトリアキソン、セフトリアキソンモキサラクタム、セフロキシム、セファレキシン、セファロスポリンＣ、セファロスポリンＣナトリウム塩、セファロチン、セファロチンナトリウム塩、セファピリン、セファラミド、セフロキシメアキセチル、ジビトラテセファロチン、メントール、メタノール、モキサラクタム、ロラカルベフマフェートおよびキレート薬剤を包含して、リジン酵素の治療効果を増加するために有効な量で含む。化学的薬剤に加えてか、またはそれに代わり、この能動ステージは、周囲の細菌またはウイルス因子を破壊し得る、メッシュまたはその他の形態にある１つ以上の金属因子を含み得る。これらの金属は、銀、亜鉛、チタン、銅、または酸化鉄を含み得る。この能動バリアはまた、生物学的汚染物を殺傷するに十分な形態および強度で電磁エネルギーを生成する、微小電気プレートまたは磁性コイルをもつチャンバーを含み得る。
【００２２】
図１および２に示される実施形態中のフィルターおよびその媒体の配列は、図３を参照して理解され得る。マスク１０の胸郭部分１４は、摂取ベント２２から口および鼻ピース１８に至る２つの空気導管２０を備える。この摂取ベント２２は、外側環境への１つ以上の開口部２４を備える。濾過装置２２は、活性炭または有毒または毒性ガスを吸収するための類似の吸収性媒体を含む受動部分２６を含む。この受動部分は、約０．３μを超える粒子サイズを有する、塵、危険粒子、細菌、およびウイルスを除去するためのＨＥＰＡフィルター２８をさらに備える。フィルターの能動部分３０は、上記で論議された１つ以上の組成物を、細菌およびウイルスを破壊するために有効な量で含む。この能動部分はまた、小型化ＵＶ光、または細菌およびウイルスを破壊し得る磁場または電場を生成するための装置を備え得る。バッテリー（図示せず）は、ＵＶ光を発し、および場を生成するための電力を提供する。好ましい実施形態では、この能動部分は、抗細菌因子および抗ウイルス因子として亜鉛メッシュを含む。能動および受動両方のフィルター媒体は、マスクを脱ぐことも、使用者が任意の空気にある危険物に曝されることもなく、外側から除去され、かつ置換され得る。１つ以上の活性成分が、空気への曝露に感受性である場合、それは、ホイルまたはプラスチック中にパックされ、そして使用直前に開放され得る。同様に、活性成分が、それを活性化するために水分が必要である場合、この物質は、水または他の適切な溶媒を含む破壊可能なバブルパッケージでパッケージされ得る。あるいは、それは、利用可能な水、または必要な場合、唾液さえを用いて活性化され得る。
【００２３】
図４に例示される本発明の別の実施形態は、従来のガスマスク（図示せず）（例えば、軍隊、レスキュー隊などに支給されるガスマスク）における使用のための二重ステージキャニスター４０を提供する。先の実施形態の場合と同様に、このキャニスター４０は、受動濾過ステージおよび能動濾過ステージの両方を備える。図３を参照すると、キャニスター４０は、チャンバ内に嵌るか、またはスレッディング４２、差し込みロックまたは類似の取付け手段を使用して直接取り付けられるような形状にされ、その結果、このキャニスター４０は、マスクにしっかりと取り付けられ、そして取付け点における気密シールを提供する。このキャニスター４０は、吸気弁または他の開口部４４、受動濾過媒体（例えば、活性炭、または他の実施形態と共に上で考察された他の物質の１つ）を含む第１のステージ４６を備える。この受動ステージはまた、約０．３μよりも上の粒子サイズを有する粒子（細菌および他の生物学的因子を含む）ＨＥＰＡフィルター５０を備える。
【００２４】
濾過要素４０の第２のステージ５２または能動部分は、フィルターカートリッジ４０の受動ステージ４６を通過する細菌またはウイルス汚染物を殺傷するための、上記のような１つ以上の活性成分５４を含む。この能動部分５２はまた、小型ＵＶ光または細菌およびウイルス５６を破壊し得る磁場または電場を生成するための装置を備え得る。バッテリー（図示せず）は、ＵＶ光を作動させ、そして場を生成するための電力を提供する。好ましい実施形態において、能動部分５２は、殺菌剤および抗ウイルス剤として亜鉛メッシュを備える。能動および受動の両方のフィルター媒体は、マスク（図示せず）を取り外すことも、風媒性煙霧に使用者が全く曝されることもなく、マスク上の弁の使用によって、外から取り出されそして交換され得る。
【００２５】
図５に例示されるさらに別の実施形態において、本発明の能動／受動フィルター媒体は、ガスマスク用の挿入物６０、レスピレーターまたは他の呼吸装置を備え、これは安全マスクの一部を形成するフードまたは他のヘッドカバーもしくはフェイスカバー内にコンパクトに嵌る。この挿入物６０は、受動層６２（例えば、活性炭もしくはＨＥＰＡグレードの繊維紙、または織布もしくは圧縮布またはポリマー繊維）を含む。この挿入物６０はまた、上記の１つ以上の殺菌性化合物または抗ウイルス化合物（例えば、クロロヘキシジンまたは他の塩素含有薬剤もしくはハロゲン含有薬剤）を含む能動層６４を備える。この挿入物６０はまた、周辺の細菌、真菌およびウイルスを、これらがこの挿入物６０を通して吸い込まれた場合に殺傷するための活性薬剤を含浸させた織物を備え得る。結局、この挿入物６０は、１つの層を有するが、これは能動要素および受動要素の両方を備える。この挿入物は、例えば、ポリビニルピロリドン−ヨウ素（図６に示されるような周知の消毒剤）を含浸させた、通気性または多孔性の織布またはペーパーフィルター６６を含み得る。活性成分は、湿らされて、この成分を放出し得る。この活性成分は、必要に応じて、生物学的汚染物を殺傷するのを助けるためのＵＶ光源または他の放射線源を備え得る。
【００２６】
本願は、本発明の特定の実施形態を示し、そして記載しているが、当業者は、多くの変更および改変が、本発明の精神および範囲から逸脱することなくなされ得ることを理解する。従って、本発明の精神または範囲から逸脱することなく、全ての代替物、変更物および等価物を網羅することが意図される。従って、添付の特許請求の範囲は、全ての代替物、変更物および等価物が、その公正かつ正確な解釈および適用に基づいて合理的に含まれ得る。
【図面の簡単な説明】
【００２７】
【図１】図１は、本発明の呼吸器マスクを着用する人の斜視図である。
【図２】図２は、本発明の呼吸器マスクを着用する人の側面図である。
【図３】図３は、本発明の呼吸器マスクを着用する人の正面図であり、ここで、シール、呼吸通路およびフィルター媒体が影線で示されている。
【図４】図４は、本発明の第２の実施形態による呼吸器マスクフィルターカートリッジの、一部が断面の、正面斜視図である。
【図５】図５は、本発明の別の実施形態による呼吸器マスクまたはフィルターカートリッジ挿入物の側面図である。
【図６】図６は、本発明の別の実施形態による呼吸器マスクまたはフィルターカートリッジ挿入物の側面図である。
【図１】
2005512641.tif 000003
【図２】
2005512641.tif 000004
【図３】
2005512641.tif 000005
【図４】
2005512641.tif 000006
【図５】
2005512641.tif 000007
【図６】
2005512641.tif 000008
【国際調査報告】
2005512641.tif 000009